(57)【要約】      （修正有）【課題】ルートマンの煩雑は作業を軽減すると共に、自動販売機とのデータの送受信が出来なくなるおそれを低減可能にする携帯変換装置を提供する。【解決手段】装置１００が備える赤外線通信部１０１と赤外線通信で受信したデータを他の無線通信で携帯端末に送信するデータ中継携帯端末１０２であって、装置が備える赤外線通信部と赤外線でデータの送受信を行う赤外線通信部と、当該赤外線通信部で受信したデータを他の無線通信で携帯端末に送信する無線通信部と、を備え、当該赤外線通信部は、装置が備える赤外線通信部の赤外線の第１透過窓３０５よりも大きい第２透過窓３０６と、赤外線を発する赤外送信部２０８と、装置が備える赤外線通信部が発光した赤外線を、第２透過窓を介して受信する赤外受信部２０９と、第２透過窓を透過した赤外線を赤外受信部に反射し、赤外送信部が発した赤外線を第２透過窓に反射する反射部材３１０と、を更に備える。【選択図】図８
2018005465.tif 000002
【特許請求の範囲】
【請求項１】
装置が備える赤外線通信部と赤外線通信で受信したデータを他の無線通信で携帯端末に送信するデータ中継携帯端末であって、
前記装置が備える赤外線通信部と赤外線でデータの送受信を行う赤外線通信部と、
前記赤外線通信部で受信したデータを他の無線通信で前記携帯端末に送信する無線通信部と、
を備え、
前記赤外線通信部は、
前記装置が備える赤外線通信部の赤外線の第１透過窓よりも大きい第２透過窓と、
赤外線を発する赤外送信部と、
前記装置が備える赤外線通信部が前記第１透過窓を介して発光した赤外線を、前記第２透過窓を介して受信する赤外受信部と、
前記第２透過窓を透過した赤外線を前記赤外受信部に反射し、前記赤外送信部が発した赤外線を前記第２透過窓に反射する反射部材と、
を更に備えることを特徴とするデータ中継携帯端末。
【請求項２】
前記反射部材は、前記第２透過窓の平面に対して傾斜していることを特徴とする請求項１に記載のデータ中継携帯端末。
【請求項３】
前記反射部材は、前記第２透過窓を透過した赤外線を前記赤外受信部に集光するように傾斜していることを特徴とする請求項１又は２に記載のデータ中継携帯端末。
【請求項４】
前記反射部材は、前記第２透過窓を透過した赤外線を前記赤外受信部に集光するように曲面状に傾斜していることを特徴とする請求項１乃至３の何れか１項に記載のデータ中継携帯端末。
【請求項５】
前記装置に着脱可能に接着する接着部を更に備えることを特徴とする請求項１乃至４の何れか１項に記載のデータ中継携帯端末。
【請求項６】
前記接着部は、前記第２透過窓の平面直線上に設けられていることを特徴とする請求項５に記載のデータ中継携帯端末。
【請求項７】
前記接着部は、前記装置の接着面に接着する吸盤、又は、前記装置の接着面に接着する磁石であることを特徴とすることを特徴とする請求項５又は６に記載のデータ中継携帯端末。
【請求項８】
前記装置は、自動販売機であることを特徴とする請求項１乃至７の何れか１項に記載のデータ中継携帯端末。
【発明の詳細な説明】
【技術分野】
【０００１】
本発明は、ルートマンの煩雑は作業を軽減すると共に、自動販売機とのデータの送受信が出来なくなるおそれを低減可能にするデータ中継携帯端末に関する技術に関する。
【背景技術】
【０００２】
従来、自動販売機に商品の補充を行うルートマンは、ハンディターミナルを携帯し、自動販売機の前に行き、そのハンディターミナルに、自動販売機に記憶されているデータを収集する業務を行っている。
【０００３】
従来、ハンディターミナルが自動販売機からデータを収集する際には、赤外線通信が用いられている。具体的には、自動販売機の赤外線ポートから発光する赤外光（赤外線）を、ハンディターミナルの赤外線ポートで受光して、ハンディターミナルが、自動販売機に記憶されているデータを収集している。
【０００４】
また、近年、スマートフォンやタブレット端末などのスマートデバイスが普及してきている。これらのスマートデバイスは、赤外線ポートを備えていないものもあるため、そのようなスマートデバイスは、自動販売機と、直接、赤外線通信を行うことが出来ない。
【０００５】
しかしながら、これらのスマートデバイスは、Ｂｌｕｅｔｏｏｔｈ（登録商標）による他の近距離無線通信機能を備えているため、自動販売機の赤外線通信を、Ｂｌｕｅｔｏｏｔｈ（登録商標）による他の近距離無線通信に変換する変換装置を用いることで、変換装置が、自動販売機から赤外線で受信したデータをスマートデバイスに送信することが可能となる。
【０００６】
特許文献１には、ＩｒＤＡ通信機能を有する装置と、Ｂｌｕｅｔｏｏｔｈ（登録商標）通信機能を有する装置との間で信号の中継伝送を行なう赤外線中継装置が、ＩｒＤＡで送受される信号と、Ｂｌｕｅｔｏｏｔｈ（登録商標）で送受される信号の一方を他方に変換することが記載されている。
【先行技術文献】
【特許文献】
【０００７】
【特許文献１】特開２００１−６０９０７号公報
【発明の概要】
【発明が解決しようとする課題】
【０００８】
しかしながら、ルートマンが、スマートデバイスが自動販売機からデータを収集するために、赤外線通信を、Ｂｌｕｅｔｏｏｔｈ（登録商標）による他の近距離無線通信に変換する変換装置（以下、携帯変換装置、又はデータ中継携帯端末とも言う）と共にスマートデバイスを携帯し、自動販売機からデータを収集する際、ルートマンは、その変換装置を片手で持って、変換装置の赤外線ポート（赤外線が透過する口又はそのカバー）と、自動販売機の赤外線ポート（赤外線が透過する口又はそのカバー）とを対向させ、その変換装置を手で持った状態で、もう片方の手でスマートデバイスを持って操作しなければならず、煩雑な操作を強いられることとなる。
【０００９】
さらに、その変換装置を片手で持つと、変換装置の赤外線ポートと、自動販売機の赤外線ポートとを対向させるのが難しくなり、対向しなくなった場合には、赤外線通信が出来なくなる（通信エラーになる）などの課題もある。
【００１０】
また、自動販売機の正面には、照明の明かりがついているため、変換装置の赤外線ポートと、自動販売機の赤外線ポートとの間の距離が長くなると、例えば、その照明の明かりが変換装置の赤外線ポートにノイズとして入ってき易くなり、自動販売機と変換装置との間でデータの送受信できなくなるおそれが高まる。
【００１１】
そこで、その変換装置を自動販売機の赤外線ポートに取り付けることが考えられる。しかしながら、自動販売機の赤外線ポートのサイズはそもそも比較的小さく、ルートマンは、自動販売機の赤外線ポートに対向するように、変換装置を自動販売機に精確に取り付けなければならず、大雑把に、変換装置を自動販売機に取り付けることが出来ずに、ルートマンによる設置操作の操作性が低下してしまう。
【００１２】
そこで、例えば、自動販売機の赤外線ポートよりも、変換装置の赤外線ポートを大きくし、ルートマンが、大雑把に、変換装置を自動販売機に取り付けることが出来るようにすることが考えられる。
【００１３】
ここで、例えば、図９に示すように、自動販売機１００の赤外線ポート（赤外線が透過する口又はそのカバー３０５）よりも、変換装置（１０２）の赤外線ポート（赤外線が透過する口又はそのカバー３０６）を大きくし、ルートマンが、例えば、図９に示すように、大雑把に、変換装置を自動販売機に取り付けたケースについて考える。
【００１４】
図９の例では、カバー３０５とカバー３０６の一部分のみが対向しており、赤外送信部２０３が発光した赤外光の一部のみが、変換装置（１０２）の赤外線ポートに入射することとなる。そのため、その入射した赤外線を変換装置（１０２）の赤外受信部２０９が受光するために、変換装置（１０２）の空間３０８を、カバー３０６に直交する方向に長く伸ばした構造にしなければならなくなる。
【００１５】
しかしながら、カバー３０６に直交する方向に長く伸ばした構造にすると、変換装置（１０２）の重心が、変換装置（１０２）の接着部３０１から離れた場所になるため、変換装置（１０２）が自動販売機１００からはがれ落ち易くなってしまうと共に、変換装置（１０２）のサイズが大きくなってしまう。
【００１６】
このように、ルートマンの使い勝手を向上させるために、自動販売機の赤外線ポートよりも、変換装置の赤外線ポートを大きくすればするほど、変換装置（１０２）が自動販売機１００からはがれ落ち易くなってしまうと共に、変換装置（１０２）のサイズが大きくなってしまう。
【００１７】
そこで、本発明は、ルートマンの煩雑は作業を軽減すると共に、自動販売機とのデータの送受信が出来なくなるおそれを低減可能にするデータ中継携帯端末を提供することを目的とする。
【課題を解決するための手段】
【００１８】
本発明は、装置が備える赤外線通信部と赤外線通信で受信したデータを他の無線通信で携帯端末に送信するデータ中継携帯端末であって、前記装置が備える赤外線通信部と赤外線でデータの送受信を行う赤外線通信部と、前記赤外線通信部で受信したデータを他の無線通信で前記携帯端末に送信する無線通信部と、を備え、前記赤外線通信部は、前記装置が備える赤外線通信部の赤外線の第１透過窓よりも大きい第２透過窓と、赤外線を発する赤外送信部と、前記装置が備える赤外線通信部が前記第１透過窓を介して発光した赤外線を、前記第２透過窓を介して受信する赤外受信部と、前記第２透過窓を透過した赤外線を前記赤外受信部に反射し、前記赤外送信部が発した赤外線を前記第２透過窓に反射する反射部材と、を更に備えることを特徴とする。
【発明の効果】
【００１９】
本発明によれば、ルートマンの煩雑は作業を軽減すると共に、自動販売機とのデータの送受信が出来なくなるおそれを低減可能にすることができる。
【図面の簡単な説明】
【００２０】
【図１】本発明の実施の形態に係るシステムの一例を示す図である。
【図２】図１に示す自動販売機１００、データ中継携帯端末１０２、携帯端末１０３のハードウエアブロック図の一例を示す図である。
【図３】データ中継携帯端末１０２のハードウエアの構成の一例を示す図である。
【図４】自動販売機１００の領域１０４に、データ中継携帯端末１０２をユーザが装着しようとしている状況の、自動販売機１００の領域１０４を側面（左側）から見た自動販売機１００の断面と、データ中継携帯端末１０２の断面を示す図の一例を示す図である。
【図５】データ中継携帯端末１０２のカバー３０６が、自動販売機１００の赤外線通信部１０１を全て覆うように、データ中継携帯端末１０２を赤外線通信部１０１にユーザが装着した状況の、自動販売機１００の領域１０４を側面（左側）から見た自動販売機１００の断面と、データ中継携帯端末１０２の断面を示す図の一例を示す図である。
【図６】データ中継携帯端末１０２のカバー３０６が、自動販売機１００の赤外線通信部１０１の一部を覆い、カバー３０５の一部（空間４０１に入射する、又は空間４０１から外に光が出る口の一部）が、データ中継携帯端末１０２に覆われていないように、データ中継携帯端末１０２を自動販売機１００にユーザが装着した状況の、自動販売機１００の領域１０４を側面（左側）から見た自動販売機１００の断面と、データ中継携帯端末１０２の断面を示す図の一例を示す図である。
【図７】データ中継携帯端末１０２のカバー３０６が、自動販売機１００の赤外線通信部１０１の一部を覆い、カバー３０５の一部（空間４０１に入射する、又は空間４０１から外に光が出る口の一部）が、データ中継携帯端末１０２に覆われていないように、データ中継携帯端末１０２を自動販売機１００にユーザが装着した状況の、自動販売機１００の領域１０４を側面（左側）から見た自動販売機１００の断面と、データ中継携帯端末１０２の断面を示す図の一例を示す図である。
【図８】データ中継携帯端末１０２のカバー３０６が、自動販売機１００の赤外線通信部１０１の一部を覆い、カバー３０５の一部（空間４０１に入射する、又は空間４０１から外に光が出る口の一部）が、データ中継携帯端末１０２に覆われていないように、データ中継携帯端末１０２を自動販売機１００にユーザが装着した状況の、自動販売機１００の領域１０４を側面（左側）から見た自動販売機１００の断面と、データ中継携帯端末１０２の断面を示す図の一例を示す図である。
【図９】自動販売機１００の領域１０４を側面（左側）から見た自動販売機１００の断面と、傾斜部３０７、及び、反射部材３１０を備えていないデータ中継携帯端末の断面を示す図の一例を示す図である。
【発明を実施するための形態】
【００２１】
以下、添付図面を参照して、本発明を好適な実施形態に従って詳細に説明する。
【００２２】
図１は、本発明の実施の形態に係るシステムの一例を示す図である。
【００２３】
図１に示すように、本発明の実施の形態に係るシステムは、自動販売機１００、データ中継携帯端末１０２、携帯端末１０３を含むシステムである。
【００２４】
自動販売機１００は、例えば、ジュース等の飲料や食品等の商品を備え、顧客によりお金が投入されることで、当該顧客に当該商品を提供する機器である。
【００２５】
自動販売機１００は、赤外線で他の端末と通信を行う赤外線通信機能を備えており、赤外線ポートである赤外線通信部１０１を備えている。この赤外線通信部は、赤外線で他の端末と相互に通信を行うインターフェースである。
【００２６】
図１の自動販売機１００の領域１０４の拡大図に示すように、この赤外線通信部１０１は、縦の長さがＢセンチメートルであり、横の長さがＡセンチメールである。
【００２７】
また、携帯端末１０３は、例えば、スマートフォンやタブレット端末などのスマートデバイスであり、赤外線通信機能を備えていない端末であるが、Ｂｌｕｅｔｏｏｔｈ（登録商標）等の近距離無線通信を行うインターフェースである近距離無線通信部２１３を備えている端末である。
【００２８】
また、データ中継携帯端末１０２は、自動販売機１００と、携帯端末１０３との間で用いられる携帯端末である。
【００２９】
データ中継携帯端末１０２は、本発明のデータ中継携帯端末の適用例であり、自動販売機（装置）が備える赤外線通信部と赤外線通信で受信したデータを他の無線通信で携帯端末に送信する。
【００３０】
データ中継携帯端末１０２は、自動販売機１００と赤外線で通信を行う赤外線通信機能を備えており、赤外線ポートである赤外線通信部２０７を備えている。この赤外線通信部は、赤外線で自動販売機１００と相互に通信を行うインターフェースである。
【００３１】
赤外線通信部２０７は、本発明の赤外線通信部の適用例であり、自動販売機（装置）が備える赤外線通信部１０１と赤外線でデータの送受信を行う。
【００３２】
また、データ中継携帯端末１０２は、携帯端末１０３と近距離無線通信を行う無線通信機能を備えており、携帯端末の近距離無線通信部２１３とＢｌｕｅｔｏｏｔｈ（登録商標）等の近距離無線通信を行うインターフェースである近距離無線通信部２１０を備えている。この近距離無線通信部２１０は、近距離無線通信で携帯端末１０３と相互に通信を行うインターフェースである。
【００３３】
近距離無線通信部２１０は、本発明の無線通信部の適用例であり、赤外線通信部２０７で受信したデータを他の無線通信（Ｂｌｕｅｔｏｏｔｈ（登録商標）やｔｒａｎｓｆｅｒｊｅｔ（登録商標）等）で携帯端末１０３に送信する。
【００３４】
本実施形態では、近距離無線通信部２１０と、近距離無線通信部２１３とを、Ｂｌｕｅｔｏｏｔｈ（登録商標）等の近距離無線通信を行うインターフェースとして説明するが、携帯端末１０３、及びデータ中継携帯端末１０２が、Ｗｉ−Ｆｉ等の無線通信機能を備え、近距離無線通信部２１０と、近距離無線通信部２１３とが、それぞれ、Ｗｉ−Ｆｉ等の無線通信を相互に行うインターフェースである無線通信部として機能することもできる。
【００３５】
図１に示す自動販売機１００のメモリ等の記憶部２０２は、自動販売機１００の商品の売上げデータ、自動販売機１００内の商品の在庫数等の業務処理データ（以下、単にデータとも言う）が記憶されている。
【００３６】
自動販売機１００に商品の補充や、自動販売機１００の記憶部２０２に記憶されているデータを収集するルートマンは、携帯端末１０３や、データ中継携帯端末１０２を携帯し、各自動販売機に行き、携帯端末１０３、及びデータ中継携帯端末１０２を用いて、各自動販売機から、各自動販売機１００の各記憶部２０２に記憶されているデータを収集する。
【００３７】
図２は、図１に示す自動販売機１００、データ中継携帯端末１０２、携帯端末１０３のハードウエアブロック図の一例を示す図である。
【００３８】
図２に示すように、自動販売機１００は、制御部２０１と、記憶部２０２と、赤外線通信部１０１とを備えている。また、自動販売機１００には、自動販売機として動作するための各部材も備えている。
また、赤外線通信部１０１は、赤外送信部２０３、及び赤外受信部２０４を備えている。
【００３９】
制御部２０１は、記憶部２０２に格納されているプログラムやデータを用いて、自動販売機１００の各部材及び全体を制御し、自動販売機１００が行う各処理を実行する。
【００４０】
記憶部２０２は、ＲＡＭやＨＤＤなどのメモリであり、自動販売機１００の商品の売上げデータ、自動販売機１００内の商品の在庫数等の業務処理データ（単にデータとも言う）が記憶されている。
【００４１】
赤外線通信部１０１は、赤外線ポートであり、赤外線で他の端末と相互に通信を行うインターフェースである。
赤外送信部２０３は、赤外線を発光してデータを送信する送信部である。
赤外受信部２０４は、赤外線を受光してデータを受信する受信部である。
【００４２】
次に、データ中継携帯端末１０２は、制御部２０５と、記憶部２０６と、赤外線通信部２０７と、近距離無線通信部２１０とを備えている。
また、赤外線通信部２０７は、赤外送信部２０８、及び赤外受信部２０９を備えている。
【００４３】
制御部２０５は、記憶部２０６に格納されているプログラムやデータを用いて、データ中継携帯端末１０２の各部材及び全体を制御し、データ中継携帯端末１０２が行う各処理を実行する。
記憶部２０６は、ＲＡＭやＨＤＤなどのメモリであり、中継するデータを一時的に記憶する。
【００４４】
赤外線通信部２０７は、赤外線ポートであり、赤外線で他の端末と相互に通信を行うインターフェースである。
赤外送信部２０８は、赤外線を発光してデータを送信する送信部である。
赤外受信部２０９は、赤外線を受光してデータを受信する受信部である。
【００４５】
赤外受信部２０９は、本発明の赤外受信部の適用例であり、自動販売機（装置）が備える赤外線通信部１０１が第１透過窓（３０５）を介して発光した赤外線を、第２透過窓（３０６）を介して受信する。
【００４６】
近距離無線通信部２１０は、携帯端末の近距離無線通信部２１３とＢｌｕｅｔｏｏｔｈ（登録商標）等の近距離無線通信を行うインターフェースである。
【００４７】
次に、携帯端末１０３は、制御部２１１と、記憶部２１２と、近距離無線通信部２１０とを備えている。
【００４８】
制御部２１１は、記憶部２１２に格納されているプログラムやデータを用いて、携帯端末１０３の各部材及び全体を制御し、携帯端末１０３が行う各処理を実行する。
【００４９】
記憶部２１２は、ＲＡＭやＨＤＤなどのメモリであり、自動販売機１００から収集したデータを記憶する。
【００５０】
近距離無線通信部２１３は、データ中継携帯端末１０２の近距離無線通信部２１０とＢｌｕｅｔｏｏｔｈ（登録商標）等の近距離無線通信を行うインターフェースである。
【００５１】
まず、ルートマンは、携帯端末１０３と、データ中継携帯端末１０２とを携帯して、自動販売機１００の前に行く。
【００５２】
そして、ルートマンは、データ中継携帯端末１０２を、自動販売機１００の赤外線通信部１０１のある領域１０４に設置する。
【００５３】
そして、ルートマン（ユーザ）による操作に従って、携帯端末１０３が、自動販売機１００の記憶部２０２に記憶されているデータの取得要求を、データ中継携帯端末１０２に対して、近距離無線通信部２１３の近距離無線通信で送信する。
【００５４】
そして、データ中継携帯端末１０２は、携帯端末１０３から送信された当該データの取得要求を、近距離無線通信部２１０が受信すると、赤外送信部２０８が、赤外受信部２０４に対して、当該データの取得要求を送信する。
【００５５】
自動販売機１００の赤外受信部２０４は、データ中継携帯端末１０２の赤外送信部２０８から送信された当該データの取得要求を受信すると、自動販売機１００の制御部２０１は、記憶部２０２に記憶されているデータを、赤外送信部２０３で、データ中継携帯端末１０２の赤外受信部２０９に送信する。
【００５６】
そして、データ中継携帯端末１０２は、赤外受信部２０９で、赤外送信部２０３から送信されたデータを受信し、記憶部２０６に一時的に記憶する。
【００５７】
そして、データ中継携帯端末１０２は、当該一時的に記憶部２０６に記憶されたデータを、近距離無線通信部２１０で、携帯端末１０３に送信する。
【００５８】
携帯端末１０３は、データ中継携帯端末１０２の近距離無線通信部２１０で送信されたデータを、近距離無線通信部２１３で受信し、記憶部２１２に記憶する。
次に、図３を用いて、データ中継携帯端末１０２のハードウエアの構成について、説明する。
図３は、データ中継携帯端末１０２のハードウエアの構成の一例を示す図である。
図３の（ａ）は、データ中継携帯端末１０２の正面図の一例を示す図である。
図３の（ｂ）は、データ中継携帯端末１０２の背面図の一例を示す図である。
【００５９】
図３の（ｃ）は、図３の（ａ）のデータ中継携帯端末１０２の断面Ａの断面図の一例を示す図である。
【００６０】
図３に示すように、データ中継携帯端末１０２は、自動販売機１００の赤外線通信部１０１の近傍の領域１０４（接着面（壁））に着脱可能に接着する接着部３０１、接着部３０３と、当該接着部３０１を支持するアーム３０２（支持部）と、当該接着部３０３を支持するアーム３０４（支持部）と、を備えている。
【００６１】
接着部３０１、３０４は、自動販売機１００の領域１０４の接着面（壁）にくっつく吸盤、又は、自動販売機１００の領域１０４の接着面（壁）が磁石にくっつく金属であるため、磁石である。接着部３０１、３０４は、領域１０４の接着面（壁）にくっつく部材であれば、他の部材であってもよい。
【００６２】
アーム３０２は、データ中継携帯端末１０２と、接着部３０１とを支持するように結合している。
図３の（ｃ）に示す３０８は、空の空間であり、赤外線が通過する空間である。
【００６３】
図３の（ｃ）に示す３０６は、空間３０８と、データ中継携帯端末１０２外の空間との間に空間３０８を覆うように設けられたカバー（部材）である。
【００６４】
すなわち、カバー３０６は、空間３０８に入射する、又は空間３０８から外に光が出る口に設けられたカバーである。空間３０８に入射する、又は空間３０８から外に光が出る口は、図３の（ｃ）に示すように、円形状の形をしており、その直径の長さをＣセンチメートルとする。このカバーには、主に赤外線（例えば７８０ｎｍより長い波長の電磁波）のみを透過するフィルターで覆われている。
【００６５】
カバー３０６は、本発明の第２透過窓の適用例であり、自動販売機（装置）が備える赤外線通信部１０１の赤外線の第１透過窓（３０５）よりも大きい透過窓である。
【００６６】
３０７は、カバー３０６を介して入射した光を反射する反射部であり、カバーの平面（長手方向の面）に対して傾斜している傾斜部である。
【００６７】
本実施例では、傾斜部３０７は、入射した光が赤外受信部２０９に集光するように曲面状に傾斜している。
【００６８】
本実施例では、図３の（ｃ）に示すように、傾斜部３０７が、カバーの平面（長手方向の面）に対して、曲面状に傾斜している例を示しているが、傾斜部３０７を、カバーの平面（長手方向の面）に対して直線状に傾斜し、入射した光が赤外受信部２０９に反射するようにしてもよい。
【００６９】
また、傾斜部３０７には、光（赤外線）を反射させる鏡などの反射部材３１０がコーティングされている。
【００７０】
傾斜部３０７、及び、反射部材３１０は、本発明の反射部材の適用例であり、第２透過窓（３０６）を透過した赤外線を赤外受信部２０９に反射し、赤外送信部２０８が発した赤外線を第２透過窓（３０６）に反射する。
【００７１】
そして、本発明の反射部材は、第２透過窓（３０６）の平面に対して傾斜しており、第２透過窓（２０６）を透過した赤外線を赤外受信部２０９に集光するように曲面状に傾斜している。
【００７２】
赤外送信部２０８、及び赤外受信部の周囲に設けられている傾斜部３０７による傾斜により、空間３０８に入射する、又は空間３０８から外に光が出る口の周囲に設けられている凸部３１１は、直射日光などの外光を遮光する機能を備えている。
【００７３】
３０９は、赤外送信部２０８、及び赤外受信部が設けられた部（ステージ（台））である。このステージは、図３の（ｃ）に示すように、カバーの平面と平行の平面であり、その平面に赤外送信部２０８、及び赤外受信部が設けられている。
【００７４】
また、図３の（ｃ）に示すように、カバー３０６の平面を長手方向に延長した箇所に、接着部３０１が設けられている。すなわち、カバー３０６の平面と、上下に設けられたそれぞれの接着部３０１は、それぞれ、カバー３０６の平面と同じ直線上に位置している。
すなわち、接着部３０１、３０３は、第２透過窓（３０６）の平面直線上に設けられている。
【００７５】
次に、図４を用いて、自動販売機１００の領域１０４の赤外線通信部１０１の内部構造と、データ中継携帯端末１０２の内部構造との関係について説明する。
【００７６】
図４は、自動販売機１００の領域１０４に、データ中継携帯端末１０２をユーザが装着しようとしている状況の、自動販売機１００の領域１０４を側面（左側）から見た自動販売機１００の断面と、データ中継携帯端末１０２の断面を示す図の一例を示す図である。
【００７７】
自動販売機１００の赤外線通信部１０１は、空の空間４０１内に、赤外送信部２０３と、赤外受信部２０４とを備えている。
【００７８】
また、３０５は、空間４０１と自動販売機１００の外部との間に、空間４０１を覆うように設けられたカバー（部材）である。
【００７９】
すなわち、カバー３０５は、空間４０１に入射する、又は空間４０１から外に光が出る口に設けられたカバーである。このカバーには、主に赤外線（例えば７８０ｎｍより長い波長の電磁波）のみを透過するフィルターで覆われている。このカバー３０５は、自動販売機１００の筐体と同一の平面であり、自動販売機１００の高さ方向に平行の平面になるように設けられている。
【００８０】
すなわち、カバー３０５の面と、接着部３０１が接着する自動販売機の接着面とは同一平面上にあり、カバー３０６の面と、接着部３０１とは、同一平面上にある。
【００８１】
カバー３０５は、本発明の第１透過窓の適用例であり、自動販売機（装置）が備える赤外線通信部１０１の赤外線の透過窓である。
【００８２】
次に、図５を用いて、自動販売機１００の領域１０４の赤外線通信部１０１の内部構造と、データ中継携帯端末１０２の内部構造との関係について説明する。
【００８３】
図５は、データ中継携帯端末１０２のカバー３０６が、自動販売機１００の赤外線通信部１０１を全て覆うように、データ中継携帯端末１０２を赤外線通信部１０１にユーザが装着した状況の、自動販売機１００の領域１０４を側面（左側）から見た自動販売機１００の断面と、データ中継携帯端末１０２の断面を示す図の一例を示す図である。
【００８４】
図１に示すように、赤外線通信部１０１は、縦の長さがＢセンチメートルであり、横の長さがＡセンチメールの長方形、又は正方形であるが、このＡセンチメール、及びＢセンチメートルの長さは、空間３０８に入射する、又は空間３０８から外に光が出る口、又はその口に設けられたカバーの直径の長さであるＣセンチメートルの長さよりも短い。すなわち、ＡよりもＣの値が大きく、ＢよりもＣの値が大きい。
【００８５】
そのため、空間３０８に入射する、又は空間３０８から外に光が出る口、又はその口に設けられたカバーが、空間４０１に入射する、又は空間４０１から外に光が出る口、又はその口に設けられたカバー３０５を、全てを覆うことができるように構成されている。
【００８６】
図５に示す例では、空間３０８に入射する、又は空間３０８から外に光が出る口、又はその口に設けられたカバーが、空間４０１に入射する、又は空間４０１から外に光が出る口、又はその口に設けられたカバー３０５を、全てを覆っており、さらに、データ中継携帯端末１０２の凸部３１１が自動販売機の表面に接触しているため、直射日光などが、空間４０１、及び空間３０８内に入り難くなっている。
【００８７】
また、図５では、接着部３０１が、自動販売機１００の接着面（壁）に着脱可能に接着されている。
【００８８】
その結果、ユーザは、データの通信中にデータ中継携帯端末１０２を手に持つことなり、自動販売機１００の赤外線通信部１０１とデータ中継携帯端末１０２の赤外線通信部２０７とが赤外線で、正常にデータを送受信し易くし、さらには、データの送受信の時間が長くなることを防止することが出来るようになる。
【００８９】
次に、図６を用いて、自動販売機１００の領域１０４の赤外線通信部１０１の内部構造と、データ中継携帯端末１０２の内部構造との関係について説明する。
【００９０】
図６は、データ中継携帯端末１０２のカバー３０６が、自動販売機１００の赤外線通信部１０１の一部を覆い、カバー３０５の一部（空間４０１に入射する、又は空間４０１から外に光が出る口の一部）が、データ中継携帯端末１０２に覆われていないように、データ中継携帯端末１０２を自動販売機１００にユーザが装着した状況の、自動販売機１００の領域１０４を側面（左側）から見た自動販売機１００の断面と、データ中継携帯端末１０２の断面を示す図の一例を示す図である。
【００９１】
図６に示すように、接着部３０１が、自動販売機１００の接着面（壁）に着脱可能に接着されている。
【００９２】
図６に示すデータ中継携帯端末１０２の設置位置では、カバー３０５の一部（空間４０１に入射する、又は空間４０１から外に光が出る口の一部）が、データ中継携帯端末１０２に覆われていないが、カバー３０５の一部（空間４０１に入射する、又は空間４０１から外に光が出る口の一部）が、カバー３０６の一部（空間３０８に入射する、又は空間３０８から外に光が出る口の一部）に接し、赤外線が、空間３０８と、空間４０１との間を透過可能に設けられている。
【００９３】
図７に示すように、このような状態で、赤外送信部２０８から赤外線を発光すると、当該赤外線が、傾斜部３０７で反射し、カバー３０５の一部（空間４０１に入射する、又は空間４０１から外に光が出る口の一部）と、カバー３０６の一部（空間３０８に入射する、又は空間３０８から外に光が出る口の一部）とが接している部分から、空間４０１の赤外受信部２０４で受光することができる。
【００９４】
図７は、図６に示すデータ中継携帯端末１０２の設置位置で、赤外送信部２０８から赤外線を発光し、赤外受信部２０４で受光している様子を示す図の一例である。
【００９５】
また、図８に示すように、図６に示すデータ中継携帯端末１０２の設置位置で、赤外送信部２０３から赤外線を発光すると、当該赤外線が、カバー３０５の一部（空間４０１に入射する、又は空間４０１から外に光が出る口の一部）と、カバー３０６の一部（空間３０８に入射する、又は空間３０８から外に光が出る口の一部）とが接している部分から、空間３０８内に入射し、当該入射した赤外線が傾斜部３０７で反射し、赤外受信部２０９で受光することができる。
【００９６】
以上、本発明によれば、ルートマンの煩雑は作業を軽減すると共に、自動販売機とのデータの送受信が出来なくなるおそれを低減可能にする携帯変換装置を提供することができる。
【符号の説明】
【００９７】
１００    自動販売機
１０１    赤外線通信部
１０２    データ中継携帯端末
１０３    携帯端末
【図１】
2018005465.tif 000003
【図２】
2018005465.tif 000004
【図３】
2018005465.tif 000005
【図４】
2018005465.tif 000006
【図５】
2018005465.tif 000007
【図６】
2018005465.tif 000008
【図７】
2018005465.tif 000009
【図８】
2018005465.tif 000010
【図９】
2018005465.tif 000011